(57)【要約】【課題】  聴取エリア外であっても拡がりのある再生音を知覚させることができるステレオ再生装置を提供する。【解決手段】  再生音を発生させる開口面８ｃ及び９ｃを有する振動体８ａ及び９ａからなる２つのスピーカー８及び９と、各スピーカー８及び９がともに開口面８ｃ及び９ｃを前面側に向けて取り付けられるとともに、各スピーカー８及び９の正面軸を交差させて配置されるスピーカーキャビネット２と、スピーカーキャビネット２に設けられ、各スピーカー８及び９の配列方向に平行に両スピーカーを挟むように対向させて配置される２つの平面板３及び４により構成される。特に、各スピーカー８及び９は、一方のスピーカーによる再生音における所定の音圧レベルからなる指向エリア内に他方のスピーカーにおける振動体の一部分が含まれるようにそれぞれ配置される。【選択図】  図１
2006060330.tif 000002
【特許請求の範囲】
【請求項１】
再生音を発生させる開口面を有する振動体からなる２つのスピーカーと、
上記各スピーカーがともに上記開口面を前面側に向けて取り付けられるとともに、各スピーカーの正面軸を交差させて配置される箱体とを備えたことを特徴とするステレオ再生装置。
【請求項２】
上記各スピーカーは、一方のスピーカーによる再生音における所定の音圧レベルからなる指向エリア内に他方のスピーカーにおける振動体の一部分が含まれるようにそれぞれ配置されることを特徴とする請求項１に記載のステレオ再生装置。
【請求項３】
上記各スピーカーは、いずれも振動体が円錐状の振動板からなり、一方のスピーカーによる上記指向エリア内に他方のスピーカーにおける上記振動板の傾斜面であって、上記一方のスピーカーとは反対側の傾斜面の一部分が含まれることを特徴とする請求項２に記載のステレオ再生装置。
【請求項４】
上記各スピーカーは、いずれも振動体が平面状の振動板からなる平面スピーカーであることを特徴とする請求項１に記載のステレオ再生装置。
【請求項５】
上記箱体におけるスピーカー間に前方に向けて突出して設けられ、スピーカーによる再生音を当該スピーカー側に反射する再生音反射手段を備えたことを特徴とする請求項１に記載のステレオ再生装置。
【請求項６】
上記再生音反射手段は、スピーカーごとに設けられ、反射面を前面側に向けて傾斜させて配置される２つの反射板からなることを特徴とする請求項５に記載のステレオ再生装置。
【請求項７】
上記各反射板は、スピーカーによる再生音における所定の音圧レベルからなる指向エリア内に当該スピーカーに対応する反射板における反射面の一部分が含まれるようにそれぞれ配置されることを特徴とする請求項６に記載のステレオ再生装置。
【請求項８】
上記各反射板は、前方にせりでた頂点部分が各スピーカーの上記正面軸の交差点よりも手前側となるようにそれぞれ配置されることを特徴とする請求項７に記載のステレオ再生装置。
【請求項９】
上記箱体に設けられ、各スピーカーの配列方向に平行に両スピーカーを挟むように対向させて配置される２つの平面板を備えたことを特徴とする請求項１に記載のステレオ再生装置。
【請求項１０】
上記箱体に設けられ、箱体内の気室を外部空間に連通させるダクトを備えたことを特徴とする請求項１に記載のステレオ再生装置。
【請求項１１】
上記各スピーカーにおける振動体を入力信号に基づいてそれぞれ駆動する振動体駆動手段と、
左右のチャンネルからなる音声信号に基づいて上記入力信号を生成する入力信号生成手段とを備えたことを特徴とする請求項１に記載のステレオ再生装置。
【請求項１２】
上記入力信号生成手段は、位相特性を左右のチャンネルで異ならせて入力信号を生成し、再生音に残響効果を付加することを特徴とする請求項１１に記載のステレオ再生装置。
【発明の詳細な説明】
【技術分野】
【０００１】
本発明は、ステレオ再生装置に係り、更に詳しくは、再生音を発生させる２つのスピーカーが箱体に開口面を前面側に向けて取り付けられたステレオ再生装置の改良に関する。
【背景技術】
【０００２】
コンサートホールなどの空間内でバイオリンなどの音源から放出された音を当該空間内のある受音点において聞く場合、上記音源からは様々な方向に音波が放出されるが、そのうち、受音点に至る伝搬経路を経て伝搬された音波のみが、当該受音点において音として聴取される。音の伝搬する上記空間は音場と呼ばれる。音源から受音点に至る伝搬経路には、音源及び受音点を直線で結ぶ直接経路と、壁面において反射される反射経路が存在する。
【０００３】
受音点に到達した音には、伝搬経路長に応じた減衰及び遅延が生じている。また、反射経路を経て到達した音の場合であれば、さらに、壁面での反射の際、壁面の材質に応じて、音量、音色及び位相が変化している。このため、同一音源から放出された音であっても、受音点に到達した時点では、伝搬経路ごとに振幅、周波数及び位相が異なっている。
【０００４】
音場内の聴取者は、受音点においてこの様な伝搬経路ごとに振幅や位相などが異なる音を聴取することによって、音源からの音を拡がりのある音として知覚する。従来のステレオ再生装置は、左右に配置される２つのスピーカーにより再生音を発生させることによって、上述した様な音源からの拡がりのある音を擬似的に再現しようとするものである。
【０００５】
図１５（ａ）及び（ｂ）は、聴取者が音源からの音を聴取する際の伝搬経路を示した図であり、図１５（ａ）には、音源からの直接音と、壁面による反射音とがそれぞれ伝搬される様子が示され、図１５（ｂ）には、左スピーカー及び右スピーカーがそれぞれ聴取者から見て左右に配置され、各スピーカーによる再生音がそれぞれ伝搬される様子が示されている。各スピーカーは、ともに同一方向に向けて配置され、左スピーカーによって左チャンネルの再生音が放出され、右スピーカーによって右チャンネルの再生音が放出される。
【０００６】
両スピーカーの正面側であって、各スピーカーからの距離が等しい領域が聴取エリアとなっており、聴取者は、この聴取エリア内において正しく音像定位を得ることができる。すなわち、同時に放出された左右チャンネルの再生音が受音点において同時に聴取されるので、音源からの直接音と壁面による反射音を受音点で同時に聴取するのと同様に、再生音を拡がりのある音として知覚させることができる。ところが、聴取者が聴取エリア外にいる場合には、再生音を拡がりのある音として知覚させることができないという問題があった。
【０００７】
図１６は、従来のステレオ再生装置による再生音を聴取者が聴取する様子を示した図である。聴取エリアＱ１１内の聴取者Ｐ１１は、各スピーカーまでの距離が等しいので、各スピーカーから同時に放出された左右チャンネルの再生音（直接音）を同時に聴取することができる。これに対し、聴取エリアＱ１１外にいる聴取者Ｐ１２には、各スピーカーから同時に放出された再生音が時間差をもって聴取されることになる。例えば、左スピーカーよりも右スピーカーに近い位置に聴取者Ｐ１２がいる場合には、右スピーカーからの再生音が先に到達する。
【０００８】
このとき、先に到達した音の方の音源に音の方向を感じるといういわゆるハース効果によって、近い側のスピーカーからの再生音のみが聴取されるように知覚される。このため、各スピーカーによる再生音を拡がりのある音として知覚することができなかった。
【０００９】
なお、特許文献１には、箱体において互いに隣接する２つの面にそれぞれスピーカーを配置するステレオ再生装置が開示されている。このステレオ再生装置は、互いに９０°異なる方向に向けて各スピーカーを配置し、極性を異ならせて各スピーカーを駆動することにより、再生音の指向性を向上させようとするものである。従って、聴取エリア外であっても拡がりのある音として再生音を知覚させるものではない。
【００１０】
また、特許文献１には、２つのスピーカーをそれぞれ密閉型のキャビネットに取り付け、各キャビネットをともに聴取エリアに向けて配置するステレオ装置が記載されている。このステレオ再生装置は、各スピーカーの指向性を利用して、受音点における伝搬距離の差を小さくすることにより、好ましいステレオ感が得られる聴取エリアを広げようとするものである。
【特許文献１】特開平９−２６１７９１号公報
【発明の開示】
【発明が解決しようとする課題】
【００１１】
上述した通り、従来のステレオ再生装置では、聴取者が聴取エリア外にいる場合、拡がりのある再生音を得ることができないという問題があった。
【００１２】
本発明は、上記事情に鑑みてなされたものであり、聴取エリア外であっても拡がりのある再生音を知覚させることができるステレオ再生装置を提供することを目的とする。特に、各チャンネルの再生音をそれぞれ拡散させることによって、音源からの直接音及び反射音を受音点において同時に聴取するのと同様の豊かな再生音を得ることができるステレオ再生装置を提供することを目的とする。
【課題を解決するための手段】
【００１３】
本発明によるステレオ再生装置は、再生音を発生させる開口面を有する振動体からなる２つのスピーカーと、上記各スピーカーがともに上記開口面を前面側に向けて取り付けられるとともに、各スピーカーの正面軸を交差させて配置される箱体とを備えて構成される。
【００１４】
この様な構成によれば、正面軸を交差させて２つのスピーカーが配置されるので、一方のスピーカーから放出される再生音を他方のスピーカー側に向けて伝搬させることができる。これにより、一方のスピーカーによる再生音を他方のスピーカーにおける振動体によって反射させることができるので、各スピーカーによる再生音をそれぞれ拡散させることができる。
【００１５】
特に、上記各スピーカーは、一方のスピーカーによる再生音における所定の音圧レベルからなる指向エリア内に他方のスピーカーにおける振動体の一部分が含まれるようにそれぞれ配置されるように構成される。この様な構成により、指向エリア内の再生音の一部を振動体によって反射させることができるので、再生音の拡散効果を向上させることができる。
【００１６】
本発明によるステレオ再生装置は、上記構成に加えて、上記各スピーカーが、いずれも振動体が円錐状の振動板からなり、一方のスピーカーによる上記指向エリア内に他方のスピーカーにおける上記振動板の傾斜面であって、上記一方のスピーカーとは反対側の傾斜面の一部分が含まれるように構成される。
【００１７】
また、本発明によるステレオ再生装置は、上記構成に加えて、上記各スピーカーが、いずれも振動体が平面状の振動板からなる平面スピーカーであるように構成される。
【００１８】
また、本発明によるステレオ再生装置は、上記構成に加えて、上記箱体におけるスピーカー間に前方に向けて突出して設けられ、スピーカーによる再生音を当該スピーカー側に反射する再生音反射手段を備えて構成される。
【００１９】
また、本発明によるステレオ再生装置は、上記構成に加えて、上記箱体に設けられ、各スピーカーの配列方向に平行に両スピーカーを挟むように対向させて配置される２つの平面板を備えて構成される。
【００２０】
また、本発明によるステレオ再生装置は、上記構成に加えて、上記箱体に設けられ、箱体内の気室を外部空間に連通させるダクトを備えて構成される。
【００２１】
また、本発明によるステレオ再生装置は、上記構成に加えて、上記各スピーカーにおける振動体を入力信号に基づいてそれぞれ駆動する振動体駆動手段と、左右のチャンネルからなる音声信号に基づいて上記入力信号を生成する入力信号生成手段とを備えて構成される。特に、上記入力信号生成手段は、位相特性を左右のチャンネルで異ならせて入力信号を生成し、再生音に残響効果を付加するように構成される。
【発明の効果】
【００２２】
本発明によるステレオ再生装置によれば、一方のスピーカーによる再生音を他方のスピーカーの振動体によって反射させることにより、各スピーカーによる再生音がそれぞれ拡散されるので、音源からの直接音及び反射音を受音点において同時に聴取するのと同様の豊かな再生音を得ることができる。従って、聴取エリア外であっても拡がりのある再生音を聴取者に知覚させることができる。
【発明を実施するための最良の形態】
【００２３】
実施の形態１．
図１（ａ）及び（ｂ）は、本発明の実施の形態１によるステレオ再生装置の概略構成の一例を示した図であり、図１（ａ）には、左右のチャンネルの再生音をそれぞれ発生させる２つのスピーカー８及び９が配置されたスピーカーキャビネット２を前面側から見た様子が示され、図１（ｂ）には、スピーカーキャビネット２の平面図が示されている。本実施の形態によるステレオ再生装置１は、ホールやホテルのロビーなどの空間を音場とする小型の音声出力機器であり、２チャンネルステレオ再生音の出力を行っている。ここでは、外部音源機器からの入力信号に基づいて再生音の出力が行われるものとする。また、スピーカー８及び９間の距離は、１ｍ以下であるものとする。
【００２４】
スピーカーキャビネット２は、各スピーカー８及び９を収容し、内部に気室を形成するための直方体形状の箱体からなる。このスピーカーキャビネット２には、各スピーカー８及び９がともに配置される前面側に箱体の背面に向けて凹ませた凹部１０が形成されている。凹部１０は、２つの傾斜面５、６及びボトム面７からなり、各傾斜面５及び６は、箱体背面に平行なボトム面７を挟んで箱体における互いに反対側に形成されている。これらの傾斜面５及び６内に各スピーカー８及び９がそれぞれ配置される。なお、スピーカーキャビネット２を構成する箱体は、その水平面による断面形状が矩形であるもの以外に、多角形や円形のものであっても良い。
【００２５】
また、スピーカーキャビネット２の側面であって、各スピーカー８及び９の配列方向に平行な２つの対向面には、両スピーカーを挟むように平面板３及び４がそれぞれ配置されている。これらの平面板３及び４をスピーカーキャビネット２に設けることにより、各平面板３、４及び凹部１０によって、各スピーカー８及び９による再生音を共鳴させるためのホーン構造を形成することができる。このホーン構造によって、再生音の放射効率が向上するので、スピーカーとしての能率が良好なステレオ再生装置１を得ることができる。
【００２６】
各スピーカー８及び９は、左右のチャンネルからなる再生音をそれぞれ出力する音声出力素子であり、いずれも振動体８ａ及び９ａと、駆動部８ｂ及び９ｂからなる。各駆動部８ｂ及び９ｂは、それぞれ入力信号に基づいて振動体８ａ及び９ａを駆動する動作を行っており、例えば、ボイスコイルからなる。
【００２７】
各振動体８ａ及び９ａは、それぞれ開口面８ｃ及び９ｃを有する円錐状の振動板からなり、再生音を発生させる動作が行われる。ここでは、開口面が円形のコーン紙が振動板として用いられる。
【００２８】
この様なスピーカー８及び９を上述した各傾斜面５及び６にそれぞれ配置することにより、各スピーカー８及び９の正面軸がスピーカーキャビネット２の前面側で交差するようになっている。すなわち、各スピーカーは、それぞれ開口面８ｃ及び９ｃをスピーカーキャビネット２の前面側に向けて取り付けられるとともに、一方のスピーカーにおける開口面を他方のスピーカー側に向けて配置されている。ここでは、各スピーカー８及び９が水平面内に配置され、この水平面内において上記各正面軸が交わるものとする。なお、各スピーカー８及び９の正面軸は、開口面に垂直な直線であって、放出される再生音の指向方向における中心軸となっている。
【００２９】
図２は、図１のステレオ再生装置における要部詳細の一例を示した図であり、開口面を互いに反対側のスピーカー側に向けて配置される各スピーカー８及び９の様子が示されている。一方のスピーカーにおける開口面をスピーカーキャビネット２において反対側に配置される他方のスピーカー側に向けて傾斜させることにより、当該一方のスピーカーから放出される再生音を他方のスピーカーで反射させることができる。すなわち、一方のスピーカーから放出され、正面方向に伝搬する再生音が他方のスピーカー側に向けられるので、当該スピーカー側に向けて伝搬する再生音の一部を他方のスピーカーにおける振動体によって反射させることができる。
【００３０】
その際、他方のスピーカーにおける開口面が上記一方のスピーカー側に向けて傾斜させて配置されているので、各スピーカー８及び９の配列方向に平行な平面による反射に比べて、上記一方のスピーカーからの再生音をより当該スピーカー側に向けて反射させることができる。これにより、各スピーカー８及び９による再生音をそれぞれ効果的に拡散させることができるので、音源からの直接音及び反射音を受音点において同時に聴取するのと同様の豊かな再生音を得ることができる。
【００３１】
ここでは、再生音における上記拡散効果を向上させるために、一方のスピーカーによる再生音の指向エリア内に他方のスピーカにおける振動体の一部分が含まれるように各スピーカー８及び９がそれぞれ配置されるものとする。すなわち、再生音における所定の音圧レベルからなる範囲であって、一方のスピーカーにおいて正面軸Ａ１を中心とする指向角Ａ２の範囲内に、他方のスピーカーにおける振動体の一部分が含まれる。これにより、一方のスピーカーにおける指向エリア内の再生音の一部を他方のスピーカーにおける振動体によって反射させることができるので、再生音の拡散効果を向上させることができる。
【００３２】
再生音の指向エリアにおける指向角Ａ２は、音圧レベルに関して再生音における主要部分を含む領域であり、具体的には、音圧レベルが正面方向における値の１／２以上となる領域であって、音圧エネルギーが正面方向における値の１／４以上となる領域である。この様な指向エリア内に他方のスピーカーにおける振動板の傾斜面であって、一方のスピーカーとは反対側の傾斜面の一部分が含まれるように配置されている。
【００３３】
図３は、図１のステレオ再生装置における再生動作の一例を示した図であり、一方のスピーカーによる再生音が聴取者Ｐ２に伝播する様子が示されている。従来のステレオ再生装置では、左右の各スピーカーから等距離となる正面付近が聴取エリアとなっており、聴取エリア内にいる聴取者Ｐ１が正しく音像定位を得るようになっている。しかし、この聴取エリア外にいる聴取者Ｐ２には、正しく音像定位を得ることができず、再生音を拡がりのある音として聞くことができなかった。これに対し、本実施の形態では、各スピーカー８及び９の正面軸を交差させることによって、一方のスピーカーから放出された再生音の一部が他方のスピーカーによって反射され、この反射音及び直接音が聴取者Ｐ２に聴取されるので、再生音を拡がりのある豊かな音として知覚させることができる。
【００３４】
ここでは、各スピーカー８及び９の正面軸の交点Ａ３が聴取者Ｐ１及びＰ２の位置よりも手前側となるように各スピーカー８及び９が配置されるものとし、これによって、再生音をより効果的に拡散させることができる。
【００３５】
図４は、スピーカーから放出される再生音の音圧レベルの一例を示した図であり、スピーカーの正面方向を基準とする音圧レベルが伝搬方向ごとに示されている。一般に、正面方向に指向性を有するスピーカーでは、再生音における伝搬方向ごとの音圧レベルからなる特性曲線Ａ４が正面付近で高レベルとなっている。すなわち、スピーカーの正面軸Ａ１方向において音圧レベルは最大となっている。この特性曲線Ａ４において、音圧レベルが正面軸Ａ１方向の１／２（−６ｄＢ）以上となる範囲から指向角Ａ２が求められる。
【００３６】
本実施の形態では、一方のスピーカーによる再生音を他方のスピーカーの振動体によって反射させることにより、各スピーカー８及び９による再生音がそれぞれ拡散されるので、小型のステレオ再生装置であっても、音源からの直接音及び反射音を受音点において同時に聴取するのと同様の拡がりのある豊かな再生音を得ることができる。従って、聴取エリア外であっても拡がりのある再生音を聴取者に知覚させることができる。
【００３７】
特に、スピーカーキャビネット２の正面付近から外れた位置にいる聴取者Ｐ２であっても、拡散効果によって左右チャンネルの再生音を均等に聴取させることができる。
【００３８】
なお、本実施の形態では、円錐状の振動板が振動体８ａ及び９ａとして用いられる場合の例について説明したが、本発明はこれに限られるものではない。例えば、平面状の振動板からなる平面スピーカーを用いるようなものであっても良い。
【００３９】
図５は、本実施の形態によるステレオ再生装置の他の構成例を示した平面図である。このステレオ再生装置では、スピーカーキャビネットの前面側における各傾斜面に、平面スピーカー１１がそれぞれ配置されている。各平面スピーカーは、いずれも平面状の振動板１２及び駆動部１３からなる。一般に、振動板が円錐型のスピーカー（コーンスピーカー）では、再生音が球面波として伝搬する。これに対し、振動板が平面型のスピーカー（平面スピーカー）では、再生音が平面波として伝搬する。このため、平面スピーカーは、コーンスピーカーに比べ、伝搬距離による減衰が小さく、スピーカー近傍における放射効率が良い。
【００４０】
この様な平面スピーカー１１を用いることによって、再生音を効果的に放出させることができる。特に、再生音を平面で反射させるので、反射音の伝搬方向におけるコントロール性を向上させることができる。従って、再生音において所望の拡散効果を得ることができる。また、コーンスピーカーには、通常、吸音性を有するコーン紙が用いられる。これに対し、平面スピーカーは、音波の反射特性が優れている部材、例えば、ビニールやポリエステルなどの合成樹脂からなる部材を振動板として用いることが可能なため、再生音の拡散効果をより向上させることができる。
【００４１】
実施の形態２．
実施の形態１では、一方のスピーカーを他方のスピーカー側に向けることによって再生音が反射拡散される場合の例について説明した。これに対し、本実施の形態では、さらに再生音の拡散効果を高めるために、スピーカー間に再生音の反射手段が設けられる場合について説明する。
【００４２】
図６（ａ）及び（ｂ）は、本発明の実施の形態２によるステレオ再生装置の構成例を示した図であり、図６（ａ）には、左右のスピーカー間のボトム面７上に設けられる再生音反射手段２１が示され、図６（ｂ）には、スピーカーキャビネット２を上方から見た断面の様子が示されている。また、図７は、図６のステレオ再生装置における要部を示した斜視図であり、２つの反射板２２及び２３からなる再生音反射手段２１の様子が示されている。
【００４３】
このステレオ再生装置２０は、図１のステレオ再生装置１（実施の形態１）と比較すれば、スピーカーキャビネット２におけるボトム面７上に取り付けられる平面状の２つの反射板２２及び２３からなる再生音反射手段２１を備えている点で異なる。
【００４４】
再生音反射手段２１は、ボトム面７上にスピーカーキャビネット２の前方に向けて突出させて設けられ、一方のスピーカーによる再生音を当該一方のスピーカー側に反射する動作を行っている。すなわち、各スピーカー８及び９の正面軸の交点Ａ３を含み各スピーカー８及び９から等距離にある垂直面に関し、一方のスピーカーから放出され、再生音反射手段２１の反射面に入射された再生音が当該スピーカー側に反射される。例えば、再生音反射手段２１は、スピーカー８及び９ごとに設けられる２つの反射板２２及び２３からなり、反射面を前面側に向けて傾斜させてそれぞれ配置される。
【００４５】
ここでは、各反射板２２及び２３が前方にせりでた頂点部分２４において連結され、その断面形状がＶ字型となっているものとする。各反射板２２及び２３は、一方のスピーカーによる再生音の指向エリア内に当該スピーカーに対応する反射板における反射面の一部分が含まれるようにそれぞれ配置される。なお、各反射板２２及び２３には、再生音を通過させるような貫通孔などは設けられておらず、反射面に入射した再生音はその全部が反射または吸収される。
【００４６】
図８は、図６のステレオ再生装置における要部詳細を示した図であり、各スピーカー８及び９の正面軸の交点Ａ３と、指向エリアの境界線の交点Ａ５が示されている。各スピーカー８及び９から等距離となる両スピーカーの中心軸Ａ６上に、各スピーカー８及び９の正面軸の交点Ａ３と、指向エリアの境界線（または境界面）の交点Ａ５が形成されている。
【００４７】
各反射板２２及び２３は、頂点部分２４がＡ３及びＡ５間の所定の位置となるように配置される。各反射板２２及び２３の頂点部分２４を指向エリア内に配置することによって、一方のスピーカーによる再生音が当該スピーカー側の反射板によって当該一方のスピーカー側に反射されるので、再生音を効果的に拡散させることができる。また、頂点部分２４が各スピーカー８及び９の正面軸の交点Ａ３よりも手前側となるように配置することによって、一方のスピーカーによる再生音における直接音を他方のスピーカー側に効果的に伝播させることができるので、両スピーカーによる再生音の拡散効果をさらに向上させることができる。つまり、反射板２２及び２３に入射した再生音は反射または吸収され、通過することはないので、頂点部分２４が交点Ａ３よりも前にせりだしていると、一方のスピーカーによる再生音が他方のスピーカー側に直接に伝搬するのが妨げられる。このため、再生音を効果的に拡散させるという観点から、頂点部分２４は交点Ａ３よりも手前側となるのが望ましい。
【００４８】
なお、本実施の形態では、再生音反射手段が平面状の反射板からなる場合の例について説明したが、本発明はこれに限られるものではなく、再生音を適切に反射させることができる反射部材なら他の形状のものであっても良い。
【００４９】
図９は、本発明の実施の形態２によるステレオ再生装置の他の構成例を示した図である。このステレオ再生装置では、背面側に湾曲させた２つの反射板２５及び２６が再生音反射部材としてスピーカー８及び９間に配置される。すなわち、各反射板２５及び２６は、それぞれ反射面が対応するスピーカーとは反対側に向けて凹んでおり、当該スピーカーによる再生音の拡散効果を向上させる形状となっている。
【００５０】
反射板２５及び２６の曲面形状を調整することによって、再生音において所望の放射特性を得ることができる。特に、反射面をスピーカー側から見てスピーカーキャビネットの背面側に湾曲させることにより、スピーカーによる再生音が当該スピーカー側に収束するように反射されるので、再生音の拡散効果を向上させることができる。つまり、より広いエリアを聴取エリアとして拡がりのある再生音を聴取させることができる。
【００５１】
図１０は、本発明の実施の形態２によるステレオ再生装置の他の構成例を示した図である。このステレオ再生装置では、前面側に湾曲させた２つの反射板２７及び２８が再生音反射部材としてスピーカー８及び９間に配置される。すなわち、各反射板２７及び２８は、それぞれ反射面が対応するスピーカー側に向けて凹んでおり、当該スピーカーによる再生音の拡散効果を向上させる形状となっている。
【００５２】
ここでは、反射面をスピーカー側から見てスピーカーキャビネットの前面側に湾曲させることにより、再生音が両スピーカーの中央に収束するように反射されるので、スポット的に再生音を聴取させたいような場合に効果的である。つまり、比較的狭いエリアを聴取エリアとして拡がりのある再生音を聴取させるのに好適である。
【００５３】
図１１は、本発明の実施の形態２によるステレオ再生装置の他の構成例を示した図である。また、図１２は、図１１のステレオ再生装置における要部を示した斜視図であり、先端部分３４を交差させた２つの反射板３１及び３２からなる再生音反射手段の様子が示されている。
【００５４】
このステレオ再生装置では、２つの反射板３１及び３２を交差させて配置される。すなわち、各反射板３１及び３２には、それぞれ櫛歯状に多数のスリットが形成され、この櫛歯状の部分を互いに噛み合わせて各反射板３１及び３２が配置されている。この例では、各反射板３１及び３２において交差部分よりも先端側と、根元側とにスリットが形成されるように櫛歯状の部分が噛み合わされている。
【００５５】
各反射板３１及び３２に形成されたスリットによって、一方のスピーカーからの直接音を他方のスピーカー側に通過させることができる。すなわち、各反射板３１及び３２において一方のスピーカーから入射した再生音は、その一部分が反射面によって当該スピーカー側に反射され、他の一部分はスリットによって他方のスピーカー側に伝搬することができる。
【００５６】
各反射板３１及び３２の先端部分３４は、スリットによって一方のスピーカーからの直接音の一部分を他方のスピーカー側に通過させるので、各スピーカー８及び９の正面軸の交点Ａ３よりも前にせりださせることができる。
【００５７】
先端部分３４が交点Ａ３よりも前方に位置するように再生音反射手段を構成することによって、反射面を拡大することができるので、再生音の拡散効果を向上させることができる。
【００５８】
図１３は、本発明の実施の形態２によるステレオ再生装置の他の構成例を示した斜視図である。この例では、頂点部分で連結された反射板３５及び３６にスリット状の貫通孔３７が多数形成されている。貫通孔３７は、反射板３５及び３６の全面にわたって形成されている。反射板３５及び３６を構成する部材の材質や貫通孔３７の形状、個数は、必要とする音響特性に応じて定められる。反射板３５及び３６におけるその他の構成は、図７の反射板２２及び２３と同様である。
【００５９】
一方のスピーカーから入射した再生音は、その一部分が当該スピーカー側に反射され、他の一部分が貫通孔３７によって他方のスピーカー側に通過されるので、各反射板３５及び３６の頂点部分を各スピーカー８及び９の正面軸の交点Ａ３よりも前方にせりださせて配置することができる。従って、反射面を効果的に拡大することができるので、再生音の拡散効果を向上させることができる。
【００６０】
なお、本実施の形態では、反射板がボトム面上に配置される場合の例について説明したが、本発明はこれに限られるものではなく、反射板を取り外すことができるようにしても良い。スピーカーキャビネットに対し、各反射板を取り外し可能な構成とすることにより、所望の拡散効果が得られる反射板に必要に応じて交換できるので、ステレオ再生装置における用途を拡大させることができる。
【００６１】
実施の形態３．
図１４は、本発明の実施の形態３によるステレオ再生装置における構成例を示した正面図である。このステレオ再生装置４０は、図１のステレオ再生装置１と比較すれば、スピーカーキャビネット４１の前面にバスレフポートとなるダクト４２が設けられている点で異なる。ダクト４２は、スピーカーキャビネット４１内の気室Ｂを外部空間に連通させる連通路である。この連通路の長さを調整することによって、各スピーカー８及び９から背面側の気室Ｂ内に放出された再生音が適切に位相反転され、前面側に放出される。
【００６２】
この様なダクト４２を設けることによって、低音側の音域における再生音を効果的に放出させることができるので、低音特性を改善することができる。また、両スピーカーに共通させて、スピーカーキャビネット４１にダクト４２を設けることにより、スピーカーごとに設けるのに比べて製造コストを削減することができる。
【００６３】
各実施の形態１〜３では、外部音源機器からの入力信号に基づいて再生音の出力が行われる場合の例について説明したが、本発明はこれに限られるものではない。例えば、左右のチャンネルからなる音声信号に基づいて入力信号を生成する入力信号生成手段をステレオ再生装置内に備えるようなものであっても良い。
【００６４】
この入力信号生成手段は、位相特性を異ならせて入力信号を生成することによって、再生音に残響効果を付加する動作を行う。具体的には、入力信号生成手段が、音声信号について左右のチャンネルごとに遅延させる遅延回路と、遅延させた遅延信号をチャンネルごとに元の音声信号に重畳させる重畳回路とからなり、遅延信号重畳後の音声信号を入力信号として各スピーカーの駆動部へそれぞれ出力させることが考えられる。
【００６５】
または、入力信号生成手段が、音声信号について左右のチャンネル間で遅延時間を設け、位相を遅らせた音声信号と、元の音声信号とを入力信号として各スピーカーの駆動部へそれぞれ出力させることが考えられる。この様に左右のチャンネル間で異なる信号処理を行うことによって、再生音においてエコーなどの残響効果を付加することができるので、より豊かな拡がり感のある再生音を聴取者に聴取させることができる。
【図面の簡単な説明】
【００６６】
【図１】本発明の実施の形態１によるステレオ再生装置の概略構成の一例を示した図である。
【図２】図１のステレオ再生装置における要部詳細の一例を示した図である。
【図３】図１のステレオ再生装置における再生動作の一例を示した図であり、一方のスピーカーによる再生音が聴取者Ｐ２に伝播する様子が示されている。
【図４】スピーカーから放出される再生音の音圧レベルの一例を示した図であり、スピーカーの正面方向を基準とする音圧レベルが伝搬方向ごとに示されている。
【図５】本実施の形態によるステレオ再生装置の他の構成例を示した平面図である。
【図６】本発明の実施の形態２によるステレオ再生装置の構成例を示した図である。
【図７】図６のステレオ再生装置における要部を示した斜視図であり、２つの反射板２２及び２３からなる再生音反射手段２１の様子が示されている。
【図８】図６のステレオ再生装置における要部詳細を示した図である。
【図９】本発明の実施の形態２によるステレオ再生装置の他の構成例を示した図である。
【図１０】本発明の実施の形態２によるステレオ再生装置の他の構成例を示した図である。
【図１１】本発明の実施の形態２によるステレオ再生装置の他の構成例を示した図である。
【図１２】図１１のステレオ再生装置における要部を示した斜視図である。
【図１３】本発明の実施の形態２によるステレオ再生装置の他の構成例を示した斜視図である。
【図１４】本発明の実施の形態３によるステレオ再生装置における構成例を示した正面図である。
【図１５】聴取者が音源からの音を聴取する際の伝搬経路を示した図である。
【図１６】従来のステレオ再生装置による再生音を聴取者が聴取する様子を示した図である。
【符号の説明】
【００６７】
１，２０，４０  ステレオ再生装置
２，４１  スピーカーキャビネット
５，６  傾斜面
８，９  スピーカー
８ａ，９ａ  振動体
８ｂ，９ｂ，１３  駆動部
８ｃ，９ｃ  開口面
１０  凹部
１１  平面スピーカー
１２  振動板
２１  再生音反射手段
２２，２３  反射板
２４  頂点部分
２５〜２８，３１，３２  反射板
３３  交差部分
３４  先端部分
３５，３６  反射板
３７  貫通孔
４２  ダクト
Ａ１  正面軸
Ａ２  指向角
Ｂ  気室
【図１】
2006060330.tif 000003
【図２】
2006060330.tif 000004
【図３】
2006060330.tif 000005
【図４】
2006060330.tif 000006
【図５】
2006060330.tif 000007
【図６】
2006060330.tif 000008
【図７】
2006060330.tif 000009
【図８】
2006060330.tif 000010
【図９】
2006060330.tif 000011
【図１０】
2006060330.tif 000012
【図１１】
2006060330.tif 000013
【図１２】
2006060330.tif 000014
【図１３】
2006060330.tif 000015
【図１４】
2006060330.tif 000016
【図１５】
2006060330.tif 000017
【図１６】
2006060330.tif 000018